【事件の表示】
　特願２００８−２９１２０９「インクカートリッジ」拒絶査定不服審判事件〔平成２１年　２月１２日出願公開、特開２００９−　２９１４５〕について、次のとおり審決する。
【結　論】
　本件審判の請求は、成り立たない。
【理　由】
第１　手続の経緯
　本願は、平成１１年５月２４日（以下「原出願日」という。）に出願された特願平１１−１４２７１４号の一部を平成２０年１１月１３日に新たな特許出願としたものであって、平成２２年９月６日付けで手続補正がなされ、平成２３年１月１９日付けで拒絶査定がなされ、これに対して、同年４月２５日付けで拒絶査定不服審判の請求がなされたものである。
　
第２　本願発明
　本願の請求項１ないし５に係る発明は、平成２２年９月６日付けの手続補正により補正された明細書、特許請求の範囲及び図面の記載からみて、特許請求の範囲の請求項１ないし５にそれぞれ記載された事項によって特定されるものと認められるところ、その請求項１に係る発明（以下「本願発明」という。）は、次のとおりのものである。
　
「インクを収容する空間を有し、通気孔が形成されたケースと、
　前記通気孔を覆うように前記ケース外面に取り付けられた通気フィルタとを備え、
　前記通気フィルタが、フッ素樹脂多孔質膜と、前記フッ素樹脂多孔質膜よりも孔径が大きい通気性支持材とをそれぞれ少なくとも１層含む積層体であり、
　前記フッ素樹脂多孔質膜が前記空間に面するように配置されており、
　前記通気性支持材は、ポリオレフィン、ポリアミド、ポリエステル、芳香族ポリアミドまたはこれらの複合材からなることを特徴とするインクカートリッジ。」
　
第３　引用刊行物
　原査定の拒絶の理由に引用された、本願の原出願日前に頒布された刊行物である特開平４−１４４６３号公報（以下「引用例」という。）には、次の事項が図とともに記載されている（下線は審決で付した。）。
　
１　「２．特許請求の範囲
　
往復動自在に保持されたキャリアに大気に連通する通気孔が外壁に形成されたインクタンクとこのインクタンクのインクを噴射する噴射部とを有するプリンタヘッドを搭載してなるインクジェットプリンタにおいて、組織の密度が空気のみを流通させる密度に定められた多孔質部材により形成された蓋を前記通気孔の開口面に密着させて設けた
インクジェットプリンタのインクタンク
　
２　「実施例
　本発明の一実施例を第１図に基づいて説明する。１は用紙案内板２，３を対向させることにより形成された用紙通路である（審決注：「用紙通路ある」は「用紙通路である」の明らかな誤記であるから訂正して摘記した。）。この用紙通路１には複数の用紙送りローラ４，５，６が配列されている。また、上側の用紙案内板２に一体的に形成された案内面７の下面に接触するローラ８と用紙案内板２の上面に接触するローラ９とを有して往復動駆動される
キャリア１０には、プリンタヘッド１１が着脱自在に保持されている
四弗化エチレン樹脂
の多孔質材料により形成された蓋１７が、前記空気孔１６の開口面に密着されている
　
３　上記１及び２から、引用例には、次の発明（以下「引用発明」という。）が記載されていると認められる。
　
「往復動自在に保持されたキャリアに、大気に連通する通気孔が外壁に形成されたインクタンクとこのインクタンクのインクを噴射する噴射部とを有するプリンタヘッドを着脱自在に搭載してなるインクジェットプリンタにおいて、組織の密度が空気のみを流通させる密度に定められた四弗化エチレン樹脂の多孔質部材により形成された蓋を前記通気孔の開口面に密着させて設けた、インクジェットプリンタのインクタンク。」
　
第４　対比
　本願発明と引用発明とを対比する。
１　引用発明の「『インクタンク』の『外壁』」及び「組織の密度が空気のみを流通させる密度に定められた四弗化エチレン樹脂の多孔質部材により形成された蓋」は、それぞれ、本願発明の「ケース」及び「『フッ素樹脂多孔質膜』を含む『通気フィルタ』」に相当する。
　
２　引用発明において、「ケース（インクタンクの外壁）」の内側にインクを貯蔵する空間があることは明らかであり、かつ、該「ケース」には通気孔が形成されているから、引用発明の「ケース」と本願発明の「ケース」とは、「インクを収容する空間を有し、通気孔が形成された」ものである点で一致する。
　
３　引用発明の「通気フィルタ（蓋）」は、「フッ素樹脂多孔質膜（四弗化エチレン樹脂の多孔質部材）」により形成されたものであって、「ケース（外壁）」に形成された通気孔の開口面に密着させて設けたものであるから、引用発明の「通気フィルタ」と本願発明の「通気フィルタ」とは、「通気孔を覆うようにケース外面に取り付けられた」ものである点で一致するとともに、引用発明の「フッ素樹脂多孔質膜」と本願発明の「フッ素樹脂多孔質膜」とは、「前記空間に面するように配置されている」ものである点で一致する。
　
４　引用発明において、インクジェットプリンタは、往復動自在に保持されたキャリアに、大気に連通する通気孔が外壁に形成されたインクタンクとこのインクタンクのインクを噴射する噴射部とを有するプリンタヘッドを着脱自在に搭載してなるものであるので、引用発明の「インクタンク」は、インクジェットプリンタから着脱自在なヘッド一体型のインクカートリッジといえるから、本願発明の「インクカートリッジ」に相当する。
　
５　上記１ないし４から、本願発明と引用発明とは、
「インクを収容する空間を有し、通気孔が形成されたケースと、
　前記通気孔を覆うように前記ケース外面に取り付けられた通気フィルタとを備え、
　前記通気フィルタが、フッ素樹脂多孔質膜を含むものであり、
　前記フッ素樹脂多孔質膜が前記空間に面するように配置されている、
　インクカートリッジ。」
である点で一致し、次の点で相違する。
　
相違点：
　本願発明では、前記通気フィルタが、「フッ素樹脂多孔質膜と、前記フッ素樹脂多孔質膜よりも孔径が大きい通気性支持材とをそれぞれ少なくとも１層含む積層体」であり、前記通気性支持材が、「ポリオレフィン、ポリアミド、ポリエステル、芳香族ポリアミドまたはこれらの複合材からなる」ものであるのに対して、
　引用発明では、前記通気フィルタが、そのような通気性支持材を備えていない点。
　
第５　判断
　上記相違点について検討する。
１　フッ素樹脂多孔質膜と、ポリエステルからなる通気性支持材とを積層した通気フィルタは、本願の原出願日前に周知であり（以下「周知技術１」という。例．特開平１０−８５５３６号公報特に【００１９】及び【００２５】、特開平７−１２６４２８号公報特に【０００１】及び【００６０】参照。）、前記フッ素樹脂多孔質膜及び前記通気性支持材の孔径をそれぞれどの程度とするかは、当業者が、通気性及び防水性等を考慮して適宜決定すべき設計事項というべきである。
　
２　フッ素樹脂多孔質膜と通気性支持材からなる通気フィルタを、液体を収容する容器に設ける際、前記フッ素樹脂多孔質膜が容器の内側となるように設けることは、本願の原出願日前に周知である（以下「周知技術２」という。例．特開平４−２０２８１号公報特に２頁左上欄７行〜３頁左上欄１１行及び第１図、特開平５−２７７３３４号公報特に【０００３】〜【００１１】、【００２４】〜【００２９】及び図２参照。）。
　
３　上記１及び２から、引用発明において、通気フィルタとして、フッ素樹脂多孔質膜と、該フッ素樹脂多孔質膜の孔径より大きい孔径を有するポリエステルからなる通気性支持材とを積層した通気フィルタを用いるとともに、この通気フィルタをインクタンクの通気孔の開口面に、前記フッ素樹脂多孔質膜がインクタンクの内側となるように設け、上記相違点に係る本願発明の構成となすことは、当業者が、周知技術１及び周知技術２に基づいて適宜なし得た設計上のことである。
　
４　効果について
　本願発明の奏する効果は、当業者が、引用発明の奏する効果、周知技術１の奏する効果及び周知技術２の奏する効果から予測できた程度のものである。
　
５　まとめ
　したがって、本願発明は、当業者が、引用例に記載された発明、周知技術１及び周知技術２に基づいて容易に発明をすることができたものである。
　
第６　むすび
　以上のとおり、本願発明は、当業者が、引用例に記載された発明、周知技術１及び周知技術２に基づいて容易に発明をすることができたものであるから、特許法第２９条第２項の規定により特許を受けることができない。
　よって、結論のとおり審決する。